(57)【要約】      （修正有）【課題】複雑な蝶番構造を用いることなく、板状パネルを自由な相対角度に展開して使用することができ、不要なときには小さく畳んで収容できると共に、持ち運びできるボードセットを提供する。【解決手段】連結体Ａにおいて、複数の連結部材Ａ１、Ａ２が、折り畳み状態で対向する対向面Ａ１０、Ａ２０の周縁に、少なくとも一つの直線縁Ａ１２、Ａ２２を有し、隣接する連結部材Ａ１、Ａ２の少なくとも一方を磁石とし、他方を磁石に吸着される素材とし、直線縁Ａ１２、Ａ２２同士を沿わせた連結部材Ａ１、Ａ２同士の磁力による吸着力によって、連結部材Ａ１、Ａ２同士が連結される。【選択図】図１
2016119384.tif 000002
【特許請求の範囲】
【請求項１】
複数の連結部材を具備し、複数の前記連結部材の周縁同士を、前記連結部材が相対的に回転自在となるように連結し、前記連結部材を回転させることで、前記連結部材同士が重なり合う折り畳み状態と、前記連結部材同士が拡開する展開状態とに切り替え自在にされた連結体であって、前記連結体は、重なり合って隣接する前記連結部材の少なくとも一方を磁石とし、他方を前記磁石に吸着される素材とし、前記折り畳み状態で対向する対向面の周縁に設けられた直線縁同士を沿わせた状態での前記対向面同士の接触によって、複数の連結部材が、磁力の吸着力で相互に連結されていることを特徴とする連結体。
【請求項２】
複数の前記連結部材の全部が磁石であることを特徴とする請求項１記載の連結体。
【請求項３】
請求項１又は２記載の連結体を備えた折り畳み構造体であって、前記折り畳み構造体は、夫々、前記連結部材を備えた複数の分離部材を具備し、前記分離部材は、折り畳み状態で対向する対向面の周縁に、少なくとも一つの直線縁を有すると共に、前記連結部材が、該連結部材の前記直線縁を前記分離部材の前記直線縁に対して沿わせて配置されていることを特徴とする折り畳み構造体。
【請求項４】
複数の前記分離部材は、夫々、前記連結体を複数個備えていることを特徴とする請求項３記載の折り畳み構造体。
【請求項５】
複数の前記分離部材は、夫々、磁石とする２個の前記連結体を備え、前記連結体が、前記分離部材の同一の前記対向面において、互いに異なる磁極面となるように配置されていることを特徴とする請求項３又は４記載の折り畳み構造体。
【請求項６】
前記分離部材に前記連結体を収容する収容凹部を備え、前記収容凹部は、前記分離部材の前記直線縁から、該直線縁を除く前記分離部材の他の周縁に向かって、前記連結体の周縁形状に適合する形状に形成されていることを特徴とする請求項３乃至５いずれか１項記載の折り畳み構造体。
【請求項７】
前記連結体の厚さと前記分離部材の厚さとを同じ厚さとし、前記連結体の前記対向面と前記分離部材の前記対向面とが同面となるように、前記連結体が前記収容凹部に収容されていることを特徴とする請求項６記載の折り畳み構造体。
【請求項８】
請求項３乃至７いずれか１項記載の折り畳み構造体に用いられることを分離部材であって、前記分離部材に備えられた前記連結部材が磁石であることを特徴とする分離部材。
【発明の詳細な説明】
【技術分野】
【０００１】
本発明は、複数の部材同士を、互いに回転自在に連結する連結部材、及びこの連結部材を備えた折り畳み構造体、並びこの折り畳み構造体に用いられる分離部材に関する。
【背景技術】
【０００２】
従来、複数の部材同士を連結部材により回転自在に連結し、連結部材を中心として回転させることで、部材同士が重なり合う折り畳み状態と、部材同士が拡開する展開状態とに切り替え自在とした折り畳み構造体は、下記の特許文献１に記載のボードセットが知られている。
【０００３】
特許文献１に記載のボードセットは、部材が、筆記面を備えた板状パネル（ホワイトボード）であり、この板状パネルの縁同士を、ゴム等の可撓性材料からなる帯状の連結部材で連結することで、板状パネル同士を折り畳み自在、及び展開自在として構成されている。
【先行技術文献】
【特許文献】
【０００４】
【特許文献１】特開２０１２−１０１４８１号公報
【発明の概要】
【発明が解決しようとする課題】
【０００５】
特許文献１の従来技術によると、複雑な蝶番構造を用いることなく、板状パネルを自由な相対角度に展開して使用することができると共に、不要なときには小さく畳んで収容できると共に、持ち運びできるボードセットを提供することができる。
【０００６】
しかしながら、この特許文献１の従来技術では、連結部材がゴム等の可撓性材料からなる帯状のものであるため、繰り返される折り畳み動作、及び展開動作によって劣化して、連結部材が切断され、板状パネル同士が切り離されてしまうという問題があった。
【０００７】
板状パネル同士が切り離されてしまうと、複数の板状パネルを一枚のボードとして展開する際に自立させることができなくなるばかりでなく、板状パネルを重ね合わせて持ち運ぶときには、重ね合わせた板状パネルに輪ゴムや紐等を巻き付けたり、クリップで挟持したりすることで、板状パネルの重ね合わせた状態を保持する必要があった。
【０００８】
また、このボードセットは、製造時において連結部材が板状パネル同士を連結するように固定されるものであるため、板状パネルを展開して筆記する場合、及び板状パネルごとに筆記する場合に、製造時に設定された板状パネルの枚数で不足があっても、その場で対応することができないという問題があった。
【０００９】
また、このボードセットは、連結部材が切断されてなければ、この連結部材によって板状パネルの連結状態が保持された状態で使用するものであるため、板状パネルの一枚ごとに使用することができず、例えば、複数の人に対して板状パネルを一枚ずつ配って筆記させたり、一枚ごとに異なる内容の記載を確認させたりということができないという問題があった。
【００１０】
すなわち、特許文献１の従来技術によるボードセットは、連結部材の切断によって、板状パネルを自由な相対角度に展開すること、不要なときには小さく畳んで収容すること、持ち運びすること、等の、ボードセットの通常の使用ができなくなる問題があると共に、板状パネルの枚数を増やすことができない、板状パネルを一枚ごとに分割できない等、使用形態の自由度が低いという問題があった。
【００１１】
本発明は、このような問題に対処することを課題の一例とするものである。すなわち、複数の部材を自由な相対角度に展開できること、不要なときには小さく畳んで収容できると共に、持ち運びできること、部材の数を自由に増やすことができること、複数の部材を分割できること、これによって、優れた使用性を備えることができると共に、使用形態の自由度を高めることができること、等が本発明の目的である。
【課題を解決するための手段】
【００１２】
このような目的を達成するために、本発明は、以下の構成を少なくとも具備するものである。
【００１３】
複数の連結部材を具備し、複数の前記連結部材の周縁同士を、前記連結部材が相対的に回転自在となるように連結し、前記連結部材を回転させることで、前記連結部材同士が重なり合う折り畳み状態と、前記連結部材同士が拡開する展開状態とに切り替え自在にされた連結体であって、前記連結体は、重なり合って隣接する前記連結部材の少なくとも一方を磁石とし、他方を前記磁石に吸着される素材とし、前記折り畳み状態で対向する対向面の周縁に設けられた直線縁同士を沿わせた状態での前記対向面同士の接触によって、複数の連結部材が、磁力の吸着力で相互に連結されていることを特徴とする連結体。
【００１４】
前述の連結体を備えた折り畳み構造体であって、前記折り畳み構造体は、夫々、前記連結部材を備えた複数の分離部材を具備し、前記分離部材は、折り畳み状態で対向する対向面の周縁に、少なくとも一つの直線縁を有すると共に、前記連結部材が、該連結部材の前記直線縁を前記分離部材の前記直線縁に対して沿わせて配置されていることを特徴とする折り畳み構造体である。
【００１５】
前述の折り畳み構造体に用いられる分離部材であって、前記分離部材に備えられた前記連結部材が磁石であることを特徴とする分離部材である。
【発明の効果】
【００１６】
このような特徴を有することで本発明は、以下の効果を奏する。すなわち、複数の部材を自由な相対角度に展開でき、不要なときには小さく畳んで収容できると共に、持ち運びできる。更に、部材の数を自由に増やすことができると共に、複数の部材を分割できる。これによって、優れた使用性を備えることができると共に、使用形態の自由度を高めることができる。
【図面の簡単な説明】
【００１７】
【図１】本発明に係る一実施形態の連結体の斜視図である。
【図２】図１の（２）-（２）線断面図である。
【図３】本発明に係る一実施形態のホワイトボードの斜視図である。
【図４】図３の正面図である。
【図５】図４の（５）-（５）線断面図である。
【図６】ホワイトボードの展開状態を示す正面図である
【図７】ホワイトボードを展開すると共に、立てた状態を示す斜視図
【図８】ボード部材の斜視図である。
【発明を実施するための形態】
【００１８】
本発明の連結体は、複数の前記連結部材の全部が磁石であることが好ましい。
【００１９】
本発明の折り畳み構造体は、複数の前記分離部材が、夫々、前記連結体を複数個備えていることが好ましい。
【００２０】
また、複数の前記分離部材は、夫々、磁石とする２個の前記連結体を備え、前記連結体が、前記分離部材の同一の前記対向面において、互いに異なる磁極面となるようにが配置されていることが好ましい。
【００２１】
また、前記分離部材に前記連結部材を収容する収容凹部を備え、前記収容凹部は、前記分離部材の前記直線縁から、該直線縁を除く前記分離部材の他の周縁に向かって、前記連結体の周縁形状に適合する形状に形成されていることが好ましい。
【００２２】
更に、前記連結体の厚さと前記分離部材の厚さとを同じ厚さとし、前記連結体の前記対向面と前記分離部材の前記対向面とが同面となるように、前記連結体が前記収容凹部に収容されていることが好ましい。
【００２３】
本発明に係る連結体の分離部材に用いられる磁石は、磁力が強いネオジウム（ネオジム）磁石が好ましい。
【００２４】
本発明に係る折り畳み構造体は、例えば、ホワイトボード、カラーボード、アルバム、写真立て、絵本、紙芝居等の、硬質板状の分離部材、且つ複数枚の分離部材を備えたものに実施できる。  
【００２５】
ホワイトボードやカラーボードは、拭くことで消すことができるインクを用いたホワイトボードマーカーで筆記できるものである。また、アルバム、写真立て、絵本、紙芝居にも、ホワイトボードやカラーボードのように、ホワイトボードマーカーで筆記できると共に、拭くことで消すことができるようにしてもよい。
【００２６】
以下、本発明の実施形態に係る連結体、及び折り畳み構造体、並びに分離部材の実施形態を図１〜図８に基づいて説明する。尚、本実施形態では、折り畳み構造体をホワイトボードとし、分離部材をボード部材として説明する。
【００２７】
図１は、連結体Ａの構成を示す斜視図であり、ネオジウム磁石からなる１対の連結部材Ａ１、Ａ２を備えている。
【００２８】
連結部材Ａ１、Ａ２は、互いに、同じ面積、同じ厚みの長方形の板状に形成されており、互いの表裏面の一方に設定されたＮ極の対向面（以下、Ｎ極面という）Ａ１０と、他方に設定されたＳ極の対向面（以下、Ｓ極面という）Ａ２１同士を対向させると共に、連結部材Ａ１、Ａ２の四方の直線縁Ａ１２、Ａ２２同士を沿わせた状態で接触させることで連結されている（折り畳み状態）。
【００２９】
このような連結体Ａは、図２に示すように、折り畳み状態から直線縁Ａ１２、Ａ２２を回転軸として、連結部材Ａ１、Ａ２を離間させるように回転させることによって、連結体Ａを展開状態にすることができる。
【００３０】
連結部材Ａ１、Ａ２の回転動作では、直線縁Ａ１２、Ａ２２同士が、磁力による吸着力で接触した状態で行われ、折り畳み状態を０°としたとき、連結部材Ａ１、Ａ２が離間する方向の回転によって、連結部材Ａ１、Ａ２間の角度が徐々に大きくなり、直線縁Ａ１２、Ａ２２同士が正対して突き合わされた状態で１８０°の展開状態にすることができる（２点鎖線で示す状態）。
【００３１】
更に、この１８０°の展開状態を越える方向に連結部材Ａ１、Ａ２を回転させることで、表裏面の一方に設定されたＳ極の対向面（以下、Ｓ極面という）Ａ１１と、他方に設定されたＮ極の対向面（以下、Ｎ極面という）Ａ２０同士が対向して吸着することによって、３６０°の折り畳み状態で連結された状態に移行させることができる（１点鎖線で示す状態）。
【００３２】
また、連結部材Ａ１、Ａ２を磁力による吸着力に抗して引き離すことで分離することができる（３点鎖線で示す状態）。
【００３３】
尚、例示した連結体Ａは、連結部材Ａ１、Ａ２の双方をネオジウム磁石で構成したものであるが、本発明は、ネオジウム磁石に限定するものではなく、ネオジウム磁石以外の磁石を用いることができ、連結部材Ａ１、Ａ２の一方を、ネオジウム磁石を含む各種磁石とし、他方をネオジウム磁石以外の磁石、或いは、ネオジウム磁石を含む各種磁石の磁力で吸着される金属等の磁性体としてもよい。
【００３４】
また、例示した連結部材Ａ１、Ａ２は、長方形としたものであるが、本発明は、少なくとも、一つの直線縁Ａ１２、Ａ２２を有する形状であればよい。
【００３５】
図３は、連結体Ａを備えたホワイトボードＢの構成を示す斜視図であり、４枚のボード部材Ｂ１〜Ｂ４を有し、このボード部材Ｂ１〜Ｂ４が連結体Ａを介して連結されたものである。
【００３６】
ボード部材Ｂ１、Ｂ３には、夫々、２個の連結部材Ａ１が取付けられ、ボード部材Ｂ２、Ｂ４には、夫々、２個の連結部材Ａ１と対をなす、連結部材Ａ２が取付けられている。
【００３７】
ボード部材Ｂ１〜Ｂ４は、多数の紙材を重ね合わせて接着すると共に、圧縮することで硬質な長方形の板材として形成され、表裏面にホワイトボードマーカーで筆記できると共に、拭くことで消すことができる表面剤がコーティングされたものである。
【００３８】
尚、ボード部材Ｂ１〜Ｂ４は、紙材を用いたものに限らず、硬質の合成樹脂材、軽量な金属材、木材等の、変形し難い硬質材からなる板材を用いることができ、いずれも、前述の表面剤を表裏面にコーティングするとよい。
【００３９】
ボード部材Ｂ１〜Ｂ４には、夫々、連結部材Ａ１、Ａ２を収容する収容凹部Ｃが形成されている。
【００４０】
収容凹部Ｃは、図３〜図８に示すように、ボード部材Ｂ１〜Ｂ４の一方の長辺側（図４において左がＷ）の直線縁Ｂ１０〜Ｂ４０から、短手側の直線縁Ｂ１１〜Ｂ４１と平行に、直線縁Ｂ１０〜Ｂ４０と対向する長辺側の直線縁Ｂ１０〜Ｂ４０に向かって、連結部材Ａ１、Ａ２が適合して収容できる形状の長方形に形成されており、連結部材Ａ１、Ａ２が収容されたとき、直線縁Ａ１２、Ａ２２が直線縁Ｂ１０〜Ｂ４０に対して同面となるようにされている。
【００４１】
収容凹部Ｃの配置位置は、図４に示すように、ボード部材Ｂ１〜Ｂ４を、四方の直線縁Ｂ１０〜Ｂ４０、Ｂ１１〜Ｂ４１を揃えて重ね合わせたときに、正対する位置であると共に、直線縁Ｂ１１〜Ｂ４１と平行な中心線Ｌを対称軸とした線対称となる位置である。    
【００４２】
また、連結部材Ａ１、Ａ２とボード部材Ｂ１〜Ｂ４とは、図５に示すように、双方、同じ厚さとして形成されており、連結部材Ａ１、Ａ２が収容凹部Ｃに収容されたときに、Ｎ極面Ａ１０、Ａ２０、Ｓ極面Ａ１１、Ａ２１が、ボード部材Ｂ１〜Ｂ４の表裏の対向面Ｂ１２、Ｂ１３、Ｂ２２、Ｂ２３、Ｂ３２、Ｂ３３、Ｂ４２、Ｂ４３と同面になるようにされている。
【００４３】
収容凹部Ｃに収容された連結部材Ａ１、Ａ２は、接着剤や粘着テープ等を用いて、収容状態を保持されている。
【００４４】
すなわち、ボード部材Ｂ１〜Ｂ４の表裏に凹凸がないため、対向面Ｂ１２、Ｂ１３、Ｂ２２、Ｂ２３、Ｂ３２、Ｂ３３、Ｂ４２、Ｂ４３の間に隙間を生じさせずに、ボード部材Ｂ１〜Ｂ４を重ね合わせることができると共に、ボード部材Ｂ１〜Ｂ４の枚数分の厚さという、最小限の厚さで重ね合わされてなるホワイトボードＢにすることができる。
【００４５】
１対の連結部材Ａ１、Ａ２は、ボード部材Ｂ１、Ｂ２にわたると共に、ボード部材Ｂ３、Ｂ４にわたって連結体Ａを構成するように配置されている。
【００４６】
本実施例においては、ボード部材Ｂ１〜Ｂ４が４枚であるので、ボード部材Ｂ２の連結部材Ａ２とボード部材Ｂ３の連結部材Ａ１とでも１対の連結体Ａが構成されている。
【００４７】
ボード部材Ｂ１〜Ｂ４に、夫々、２個配置された連結部材Ａ１、Ａ２の磁極面の方向は、互いに、異なる方向にされており、一方をＮ極面Ａ１０、他方をＳ極面Ａ１１としている。
【００４８】
具体的には、ボード部材Ｂ１、Ｂ３に配置される連結部材Ａ１では、対向面Ｂ１２、Ｂ３２側の磁極面を、図３、図４、図６、図７、図８に示すように、上側をＮ極面Ａ１０とし、下側をＳ極面Ａ１１しており、対向面Ｂ１３、Ｂ３３側の磁極面が、対向面Ｂ１２、Ｂ３２側の磁極面と反対となる。
【００４９】
ボード部材Ｂ２、Ｂ４に配置される連結部材Ａ２では、対向面Ｂ２２、Ｂ４２側の磁極面を、上側をＮ極面Ａ１０とし、下側をＳ極面Ａ１１しており、対向面Ｂ２３、Ｂ４３側の磁極面が、対向面Ｂ２２、Ｂ４２側の磁極面と反対となる。
【００５０】
すなわち、図５に示すように、ボード部材Ｂ１〜Ｂ４を折り畳み状態となるように重ね合わせたとき、Ｎ極面Ａ１０とＳ極面Ａ１１とが向かい合って、互いの磁力による吸着力で連結部材Ａ１、Ａ２が連結され、この連結部材Ａ１、Ａ２が連結されてなる連結体Ａによって、ボード部材Ｂ１〜Ｂ４を折り畳み状態で一体化することができると共に、ボード部材Ｂ１〜Ｂ４を連結部材Ａ１、Ａ２の直線縁Ａ１２、Ａ２２を回転軸として回転させることで、ボード部材Ｂ１〜Ｂ４を展開状態で一体化できる（２点鎖線で示す）。
【００５１】
また、連結部材Ａ１、Ａ２の磁力による吸着力に抗して、連結部材Ａ１、Ａ２を引き離すことでボード部材Ｂ１〜Ｂ４を分離することができる（３点鎖線で示す状態）。
【００５２】
また、ボード部材Ｂ１〜Ｂ４に配置される連結部材Ａ１、Ａ２の前述した磁極面の方向形態によって、ボード部材Ｂ１〜Ｂ４の表裏にかかわらず、連結部材Ａ１、Ａ２を磁力による吸着力で連結することができるため、分離した状態のボード部材Ｂ１〜Ｂ４を連結するときに、連結部材Ａ１、Ａ２の直線縁Ａ１２、Ａ２２を沿わせて、ボード部材Ｂ１〜Ｂ４を重ね合わせれば、必ず、Ｎ極面Ａ１０とＳ極面Ａ１１とを対面させることができる。
【００５３】
このようなホワイトボードＢによると、ボード部材Ｂ１〜Ｂ４を重ね合わせた折り畳み状態から、連結部材Ａ１、Ａ２の直線縁Ａ１２、Ａ２２を回転軸として回転させることで、ページをめくるように展開することができると共に、３６０°まで回転させることで、回転させたボード部材Ｂ１〜Ｂ４（図５においてボード部材Ｂ１）の位置が最も外側（ボード部材Ｂ４の外側、一点鎖線で示す）に変更された折り畳み状態にすることができる。
【００５４】
そして、ボード部材Ｂ１〜Ｂ４の折り畳み状態では、ボード部材Ｂ１〜Ｂ４の１枚の面積のホワイトボードＢにすることができる（図４参照）と共に、展開状態では、ボード部材Ｂ１〜Ｂ４の２枚の面積のホワイトボードＢにすることができる（図６参照）ため、使用状況に応じて、ホワイトボードＢの面積を変更することができる。
【００５５】
また、回転させたボード部材Ｂ１〜Ｂ４の展開角度によって、ホワイトボードＢを立てることができるため、ホワイトボードＢに書かれた内容を、相手に見せやすく、相手に見せながら説明を行いやすくできる（図７参照）。
【００５６】
また、連結部材Ａ１、Ａ２の磁力による吸着力を利用して、ボード部材Ｂ１〜Ｂ４を連結することでなるホワイトボードＢであるため、他のボード部材の追加を簡単に行うことができると共に、ボード部材Ｂ１〜Ｂ４のページ順の入れ替えが自在にできる。
【００５７】
また、連結部材Ａ１、Ａ２の磁力による吸着力に抗して、連結部材Ａ１、Ａ２を引き離すことでボード部材Ｂ１〜Ｂ４を分離することができるため、使用状況に応じて、ホワイトボードＢを複数枚に分割して使用することができると共に、ボード部材Ｂ１〜Ｂ４を夫々独立したホワイトボードＢとして使用することができる（図８参照、図８ではボード部材Ｂ１を示す）。
【００５８】
また、連結部材Ａ１、Ａ２の磁力を利用して、磁性体からなる壁面に、折り畳み状態のホワイトボードＢ、及び複数枚に分割されたホワイトボードＢを貼り付けることができるため、ホワイトボードＢに書かれた内容を、相手に見せやすく、相手に見せながら説明を行いやすくできる。
【００５９】
また、連結部材Ａ１、Ａ２の直線縁Ａ１２、Ａ２２を沿わせて、ボード部材Ｂ１〜Ｂ４を重ね合わせれば、必ず、Ｎ極面Ａ１０とＳ極面Ａ１１とを対面させることができるので、分割されたボード部材Ｂ１〜Ｂ４を再び一体化したホワイトボードＢするときに、極めて迅速、且つ簡単に行うことができる。
【００６０】
また、連結部材Ａ１、Ａ２の磁力による吸着力を利用して連結される連結体Ａによって、ボード部材Ｂ１〜Ｂ４を回転自在、且つ分離自在に連結しているため、蝶番やリングノートに用いられているコイルリング等のように、ボード部材Ｂ１〜Ｂ４に対して取付けるときに、凹凸の発生がなく、しかも、穴開け加工やねじ止め加工を不要とすることができる。
【００６１】
これによって、凹凸の原因となり、取付け時に加工が必要な蝶番やコイルリング等を用いることなく、ボード部材Ｂ１〜Ｂ４をフラットな状態で重ね合わせることができると共に、３６０°回転させることができる構造のホワイトボードＢにすることができるので、バッグや袋に対する収納・取り出しをスムーズに行うことができ、しかも、ボード部材Ｂ１〜Ｂ４を一枚ごと製造して重ね合わせれば、ホワイトボードＢを構成することができるので、ホワイトボードＢの製造コストを低減することができると共に、量産性を高めることができる。
【００６２】
また、磁石を備えた一般的なホワイトボードマーカーの磁石部分を連結体Ａに吸着させることで、ホワイトボードマーカーとホワイトボードＢを一体として持ち運ぶことができる。
【００６３】
したがって、複数のボード部材Ｂ１〜Ｂ４を自由な相対角度に展開でき、不要なときには小さく畳んで収容できると共に、持ち運びできる。更に、ボード部材Ｂ１〜Ｂ４の枚数を自由に増やすことができると共に、複数のボード部材を分割することで、複数のホワイトボードＢとすることができる。
【００６４】
これによって、優れた使用性を備えると共に、使用形態の自由度が高いホワイトボードＢ、及びボード部材Ｂ１〜Ｂ４を提供できる。
【００６５】
本発明では、折り畳み構造体をホワイトボードＢ以外の、アルバム、写真立て、絵本、紙芝居にした場合においても、例示したホワイトボードＢと同じ作用・効果を奏する。
【００６６】
例示した実施形態の連結体Ａは、隣り合うボード部材Ｂ１〜Ｂ４で、夫々２対備えたものであるが、本発明では、隣り合うボード部材Ｂ１〜Ｂ４で、夫々１対、３対以上の連結体Ａを備えたものとしてもよく、この形態においても、ボード部材Ｂ１〜Ｂ４を、ページをめくるように展開することができると共に、分離することができる。
【００６７】
また、例示した実施形態の連結体Ａは、ボード部材Ｂ１〜Ｂ４の同一の対向面において、夫々、Ｎ極面Ａ１０、Ｓ極面Ａ１１となるように配置したものであるが、本発明では、ボード部材Ｂ１〜Ｂ４の同一の対向面において、Ｎ極面Ａ１０同士、或いはＳ極面Ａ１１同士となるように配置してもよく、この形態においても、ボード部材Ｂ１〜Ｂ４を、ページをめくるように展開することができると共に、分離することができる。
【００６８】
また、ボード部材Ｂ１〜Ｂ４の形状は、例示した長方形に限定するものではなく、正方形、三角形、半円形等、直線縁Ｂ１０〜Ｂ４０を有する形状であればよい。
【００６９】
また、連結体Ａの配置形態は、例示したボード部材Ｂ１〜Ｂ４の一つの直線縁Ｂ１０〜Ｂ４０に配置した形態に限らず、二つの直線縁Ｂ１０〜Ｂ４０に配置した形態、直線縁Ｂ１０〜Ｂ４０と直線縁Ｂ１１〜Ｂ４１に配置した形態、全ての直線縁Ｂ１０〜Ｂ４０、Ｂ１１〜Ｂ４１に配置した形態等、が例示できる。
【００７０】
尚、本発明は、例示した実施の形態に限定するものではなく、特許請求の範囲の各項に記載された内容から逸脱しない範囲の構成による実施が可能である。
【符号の説明】
【００７１】
Ａ：連結体
Ａ１：連結部材
Ａ２：連結部材
Ａ１０：Ｎ極面（対向面）
Ａ１１：Ｓ極面（対向面）
Ａ２０：Ｎ極面（対向面）
Ａ２１：Ｓ極面（対向面）
Ａ１２：直線縁
Ａ２２：直線縁
Ｂ：ホワイトボード（折り畳み構造体）
Ｂ１：ボード部材（分離部材）
Ｂ２：ボード部材（分離部材）
Ｂ３：ボード部材（分離部材）
Ｂ４：ボード部材（分離部材）
Ｃ：収容凹部
Ｂ１０：直線縁
Ｂ２０：直線縁
Ｂ３０：直線縁
Ｂ４０：直線縁
Ｂ１１：直線縁
Ｂ２１：直線縁
Ｂ３１：直線縁
Ｂ４１：直線縁
Ｂ１２：対向面
Ｂ２２：対向面
Ｂ３２：対向面
Ｂ４２：対向面
Ｂ１３：対向面
Ｂ２３：対向面
Ｂ３３：対向面
Ｂ４３：対向面
【図１】
2016119384.tif 000003
【図２】
2016119384.tif 000004
【図３】
2016119384.tif 000005
【図４】
2016119384.tif 000006
【図５】
2016119384.tif 000007
【図６】
2016119384.tif 000008
【図７】
2016119384.tif 000009
【図８】
2016119384.tif 000010